(57)【要約】【課題】  操作抵抗および通風抵抗が小さく、フィンによる通風路遮断が可能な空調用レジスタを提供することを課題とする。【解決手段】  空調用レジスタ１は、通風路２０７と吹出口２１０とを持つリテーナ２と、リテーナ２内部に揺動可能に枢支された複数の室内側フィン体３０が並置されてなる室内側フィン群３と、室内側フィン群３の奥方に揺動可能に枢支され、通風路２０７を遮断可能な複数の室外側フィン体４０が並置されてなる室外側フィン群４と、を備える。室外側フィン体４０の枢支軸ａは、通風路２０７の路長垂直方向ｂに対して交差している。リテーナ２内部には、段差部２０２が配置されている。風向調整時においては、室外側フィン体４０が段差部２０２に当接しない角度域で揺動し、通風路遮断時においては、この角度域を超えて揺動した室外側フィン体４０が段差部２０２に当接する。【選択図】  図３
2005121259.tif 000002
【特許請求の範囲】
【請求項１】
空調用空気が通過する通風路と、該通風路に連通し該空調用空気を室内に吹き出す吹出口と、を持つリテーナと、
該リテーナ内部に揺動可能に枢支され、該空調用空気の風向を調整可能な複数の室内側フィン体が並置されてなる室内側フィン群と、
該リテーナ内部において、該室内側フィン群の奥方に揺動可能に枢支され、該空調用空気の風向を調整可能であるとともに、該通風路を遮断可能な複数の室外側フィン体が並置されてなる室外側フィン群と、
を備えてなる空調用レジスタであって、
前記室外側フィン体の枢支軸は、前記通風路の路長垂直方向に対して交差しており、
前記リテーナ内部には、該室外側フィン体の揺動軌道に干渉する段差部が配置されており、
風向調整時においては、該室外側フィン体が該段差部に当接しない角度域で揺動し、
通風路遮断時においては、該角度域を超えて揺動した該室外側フィン体が該段差部に当接することを特徴とする空調用レジスタ。
【請求項２】
空調用空気が通過する通風路と、該通風路に連通し該空調用空気を室内に吹き出す吹出口と、を持つリテーナと、
該リテーナ内部に揺動可能に枢支され、該空調用空気の風向を調整可能な複数の室内側フィン体が並置されてなる室内側フィン群と、
該リテーナ内部において、該室内側フィン群の奥方に揺動可能に枢支され、該空調用空気の風向を調整可能であるとともに、該通風路を遮断可能な複数の室外側フィン体が並置されてなる室外側フィン群と、
を備えてなる空調用レジスタであって、
前記吹出口内部には、前記室内側フィン群および前記室外側フィン群を共に操作可能な共用操作部を備え、
該室外側フィン群を構成する複数の前記室外側フィン体のうち、任意の該室外側フィン体は、該共用操作部に連動するリンク部を持ち、
該リンク部を持つ該室外側フィン体に対して、通風路遮断時において該リンク部が接近する側に隣り合う該室外側フィン体は、該リンク部との干渉を回避する回避部を持つことを特徴とする空調用レジスタ。
【請求項３】
前記室外側フィン体の枢支軸は、前記通風路の路長垂直方向に対して交差しており、
前記リテーナ内部には、該室外側フィン体の揺動軌道に干渉する段差部が配置されており、
風向調整時においては、該室外側フィン体が該段差部に当接しない角度域で揺動し、
通風路遮断時においては、該角度域を超えて揺動した該室外側フィン体が該段差部に当接する請求項２に記載の空調用レジスタ。
【発明の詳細な説明】
【技術分野】
【０００１】
本発明は、室内に空調用空気を供給する空調用レジスタに関する。
【背景技術】
【０００２】
近年、自動車業界においては、傾斜した意匠面を持つインストルメントパネルが良く見受けられる。図８に、このインストルメントパネルに配置された空調用レジスタの長手方向断面模式図を示す。図に示すように、空調用レジスタ１００のベゼル１０１は、インストルメントパネル１０２とはぼ面一に配置されており、両者は一体となって傾斜面を形成している。縦フィン体１０３の枢支軸Ａは、風向調整の便宜から、傾斜面に沿って延びている。すなわち、枢支軸Ａは、空調用空気が流れる通風路１０５の路長垂直方向Ｂに対して、傾斜角度Ｃだけ傾斜している。また、縦フィン体１０３の上下端には、縦フィン体１０３の揺動を確保するため、隙間１０６ａ、１０６ｂ、１０６ｃ、１０６ｄが形成されている。
【０００３】
ダンパを用いずに、縦フィン体１０３のみにより通風路１０５を遮断する場合は、縦フィン体１０３を大きく揺動させ、隣接する縦フィン体１０３同士を互いに重畳させる。しかしながら、縦フィン体１０３同士を重畳させると、隣り合う縦フィン体１０３同士において、隙間１０６ａと隙間１０６ｂ、および隙間１０６ｃと隙間１０６ｄが、それぞれ連通してしまう。このため、空調用空気が室内に漏出してしまう。
【０００４】
そこで、特許文献１に記載の空調用レジスタにおいては、縦フィン体１０３の外縁に、隙間１０６ａ、１０６ｂ、１０６ｃ、１０６ｄを埋めるシール枠を配置している。そして、このシール枠により通風路１０５遮断時におけるシール性を確保している。
【特許文献１】特開２００１−２８０６８３号公報
【発明の開示】
【発明が解決しようとする課題】
【０００５】
しかしながら、同文献記載の空調用レジスタの場合、シール枠が常時リテーナ１０７内面に摺接している。このため、縦フィン体１０３の操作抵抗が大きい。
【０００６】
また、前述したように、枢支軸Ａは通風路１０５の路長垂直方向Ｂに対して角度Ｃだけ傾斜している。このため、風向調整時における隙間１０６ａ、１０６ｂ、１０６ｃ、１０６ｄの幅は、縦フィン体１０３の揺動角度によって刻々と変化する。隙間幅が小さくなると、シール枠が隙間から押し出されてしまう。したがって、押し出されたシール枠により、通風抵抗が大きくなる。
【０００７】
また、同文献記載の空調用レジスタの場合、縦フィン体１０３と横フィン体１０８とは、各々別個の操作部１１１、１１０により操作されていた。このため、部品点数が多く機構が煩雑であった。また、縦フィン体１０３の操作部１１１は、ベゼル１０１の吹出口１０９外部に配置されていた。このため、操作部１１１を配置する分だけ、ベゼル１０１に占める吹出口１０９面積を小さくせざるを得なかった。
【０００８】
ところで、インストルメントパネル１０２が傾斜すると、実際の吹出口面積Ｓ０に対する、有効吹出口面積（通風路１０５の路長垂直方向に広がる面の面積）Ｓ１は、小さくなる。したがって、同文献記載の空調用レジスタによると、ただでさえ小さい吹出口面積をさらに小さくせざるを得なかった。このため、所望の送風量を確保しにくかった。
【０００９】
本発明の空調用レジスタは、上記課題に鑑みて完成されたものである。したがって、本発明は、操作抵抗が小さく、通風抵抗が小さく、フィンによる通風路遮断が可能な空調用レジスタを提供することを目的とする。また、本発明は、所望の送風量を容易に確保でき、フィンによる通風路遮断が可能な空調用レジスタを提供することを目的とする。
【課題を解決するための手段】
【００１０】
（１）上記課題を解決するため、本発明の空調用レジスタは、空調用空気が通過する通風路と、該通風路に連通し該空調用空気を室内に吹き出す吹出口と、を持つリテーナと、該リテーナ内部に揺動可能に枢支され、該空調用空気の風向を調整可能な複数の室内側フィン体が並置されてなる室内側フィン群と、該リテーナ内部において、該室内側フィン群の奥方に揺動可能に枢支され、該空調用空気の風向を調整可能であるとともに、該通風路を遮断可能な複数の室外側フィン体が並置されてなる室外側フィン群と、を備えてなる空調用レジスタであって、前記室外側フィン体の枢支軸は、前記通風路の路長垂直方向に対して交差しており、前記リテーナ内部には、該室外側フィン体の揺動軌道に干渉する段差部が配置されており、風向調整時においては、該室外側フィン体が該段差部に当接しない角度域で揺動し、通風路遮断時においては、該角度域を超えて揺動した該室外側フィン体が該段差部に当接することを特徴とする。
【００１１】
本発明の空調用レジスタの場合、室外側フィン体が段差部に当接することにより、通風路遮断時のシール性を確保することができる。また、前記シール枠が不要であり、操作抵抗が小さく、通風抵抗が小さい。また、手動操作の場合、室外側フィン体が段差部に当接した際の操作抵抗の変化により、操作者が通風路の遮断を認識しやすい。
【００１２】
また、通風路遮断時における各室外側フィン体の理想的な揺動角度は決まっている。この点、本発明の空調用レジスタの場合、段差部により、通風路遮断時における室外側フィン体の揺動角度を精度良く決定することができる。すなわち、通風路遮断時において、各室外側フィン体を理想的な揺動角度に位置決めすることができる。
【００１３】
（２）また、上記課題を解決するため、本発明の空調用レジスタは、空調用空気が通過する通風路と、該通風路に連通し該空調用空気を室内に吹き出す吹出口と、を持つリテーナと、該リテーナ内部に揺動可能に枢支され、該空調用空気の風向を調整可能な複数の室内側フィン体が並置されてなる室内側フィン群と、該リテーナ内部において、該室内側フィン群の奥方に揺動可能に枢支され、該空調用空気の風向を調整可能であるとともに、該通風路を遮断可能な複数の室外側フィン体が並置されてなる室外側フィン群と、を備えてなる空調用レジスタであって、前記吹出口内部には、前記室内側フィン群および前記室外側フィン群を共に操作可能な共用操作部を備え、該室外側フィン群を構成する複数の前記室外側フィン体のうち、任意の該室外側フィン体は、該共用操作部に連動するリンク部を持ち、該リンク部を持つ該室外側フィン体に対して、通風路遮断時において該リンク部が接近する側に隣り合う該室外側フィン体は、該リンク部との干渉を回避する回避部を持つことを特徴とする。
【００１４】
本発明の空調用レジスタによると、共用操作部が吹出口内部に配置されているため、吹出口面積を大きくしやすい。したがって、所望の送風量を容易に確保することができる。また、リンク部を持つ室外側フィン体と隣り合う室外側フィン体には回避部が配置されているため、通風路を遮断する際にリンク部が室外側フィン体の揺動の邪魔をするおそれがない。したがって、通風路遮断に必要な角度だけ、室外側フィン体を充分に揺動させることができる。
【００１５】
（３）好ましくは、上記（２）の構成において、前記室外側フィン体の枢支軸は、前記通風路の路長垂直方向に対して交差しており、前記リテーナ内部には、該室外側フィン体の揺動軌道に干渉する段差部が配置されており、風向調整時においては、該室外側フィン体が該段差部に当接しない角度域で揺動し、通風路遮断時においては、該角度域を超えて揺動した該室外側フィン体が該段差部に当接する構成とする方がよい。
【００１６】
本構成によると、上記（２）の作用効果に加えて、上記（１）の作用効果を得ることができる。つまり、室外側フィン体が段差部に当接することにより、通風路遮断時のシール性を確保することができる。また、操作抵抗が小さく通風抵抗が小さい。また、手動操作の場合、室外側フィン体が段差部に当接した際の操作抵抗の変化により、操作者が通風路の遮断を認識しやすい。また、通風路遮断時において、各室外側フィン体を理想的な揺動角度に位置決めすることができる。
【発明の効果】
【００１７】
本発明によると、操作抵抗が小さく、通風抵抗が小さく、フィンによる通風路遮断が可能な空調用レジスタを提供することができる。また、本発明によると、所望の送風量を容易に確保でき、フィンによる通風路遮断が可能な空調用レジスタを提供することができる。
【発明を実施するための最良の形態】
【００１８】
以下、本発明の空調用レジスタを、自動車のインストルメントパネルに配置した実施形態について説明する。
【００１９】
まず、本実施形態の空調用レジスタの構成について説明する。図１に、本実施形態の空調用レジスタの分解斜視図を示す。図２に、同空調用レジスタの合体斜視図を示す。図３に、図２のＩ−Ｉ断面図を示す。図４に、図２のＩＩ−ＩＩ断面図を示す。これらの図に示すように、空調用レジスタ１は、主にリテーナ２と横フィン群３と縦フィン群４と共用ノブ５とを備えている。
【００２０】
リテーナ２は、リテーナ本体２０とベゼル２１とを備えている。リテーナ本体２０は、樹脂製であって車両前方（室外側）から車両後方（室内側）に延びる角筒状を呈している。リテーナ本体２０の左壁の室内側端には、横フィン枢支溝２００が凹設されている。横フィン枢支溝２００は、上下方向に合計八つ並置されている。一方、リテーナ本体２０の右壁の室内側端には、横フィン枢支溝２００に対向して、横フィン枢支孔２０１が穿設されている。横フィン枢支孔２０１は、上下方向に合計八つ並置されている。リテーナ本体２０の下壁内面には、室内側に向かって降りる下壁段差２０２が形成されている。下壁段差２０２は、本発明の段差部に含まれる。リテーナ本体２０の下壁には、下壁段差２０２を貫通する下側縦フィン枢支孔２０３が穿設されている。下側縦フィン枢支孔２０３は、左右方向に合計五つ並置されている。また、リテーナ本体２０の上壁には、下壁段差２０２に斜めに対向して、室内側に向かって広がる上壁スロープ２０９が形成されている。上壁スロープ２０９には、前記下側縦フィン枢支孔２０３に斜めに対向して、上側縦フィン枢支孔２０４が穿設されている。上側縦フィン枢支孔２０４は、左右方向に合計五つ並置されている。また、下壁段差２０２を挟む左右壁のうち、左壁内面には室内側に向かって広がる左壁段差２０５が形成されている（図４参照）。一方、右壁内面には、右壁リブ２０６が突設されている（図４参照）。リテーナ本体２０内部には、通風路２０７が区画されている。通風路２０７には、室外側に配置された空調ダクト（図略）から、空調用空気が供給される。
【００２１】
ベゼル２１は、樹脂製であって矩形枠状を呈している。ベゼル２１は、リテーナ本体２０の室内側に配置されている。ベゼル２１は、緩やかに傾斜した意匠面を持つインストルメントパネル９とほぼ面一に配置されている。ベゼル２１には、ベゼル２１全面の大部分を占める吹出口２１０が開設されている。吹出口２１０は、通風路２０７と連通している。空調ダクト、通風路２０７、吹出口２１０を介して、空調用空気は室内に供給される。
【００２２】
横フィン群３は、八枚の横フィン体３０が上下方向に並置され構成されている。横フィン群３は、本発明の室内側フィン群に含まれる。横フィン体３０は、本発明の室内側フィン体に含まれる。横フィン体３０は、樹脂製であって左右方向に延びる短冊状を呈している。各々の横フィン体３０の右端からは、右側枢支突起３５が突設されている。右側枢支突起３５は、前記横フィン枢支孔２０１に挿入されている。一方、各々の横フィン体３０の左端からは、左側枢支突起３１が突設されている。左側枢支突起３１の胴部は、前記横フィン枢支溝２００に収容されている。左側枢支突起３１の左側には、リテーナ本体２０左壁を挟んで、横フィン係合片３２が配置されている。横フィン係合片３２は、樹脂製であって短い板状を呈している。横フィン係合片３２は、合計八つ配置されている。各々の横フィン係合片３２には、横フィン係合孔３２０が穿設されている。左側枢支突起３１は、横フィン係合孔３２０に止着されている。また、横フィン係合片３２の左面からは、横フィン係合突起３２１が突設されている。八つの横フィン係合片３２の左側には、横フィン連結ロッド３４が配置されている。横フィン連結ロッド３４は、樹脂製であって上下方向に延びる細板状を呈している。横フィン連結ロッド３４には、上下方向に一直線に並ぶ横フィン係合孔３４０が、合計八つ穿設されている。各々の横フィン係合孔３４０には、左右方向にそれぞれ対向する横フィン係合突起３２１が、挿入されている。
【００２３】
共用ノブ５は、樹脂製であって角筒状を呈している。共用ノブ５は、本発明の共用操作部に含まれる。共用ノブ５は、横フィン群３のうち上から四枚目の横フィン体３０に、左右方向にスライド可能に環装されている（図３、図４参照）。共用ノブ５の室外側端面には、左右方向に延びるラック５０が配置されている。
【００２４】
縦フィン群４は、五枚の縦フィン体４０が左右方向に並置され構成されている。縦フィン群４は、本発明の室外側フィン群に含まれる。縦フィン体４０は、本発明の室外側フィン体に含まれる。縦フィン体４０は、樹脂製であって上下方向に延びる短冊状を呈している。縦フィン体４０の枢支軸ａは、通風路２０７の路長垂直方向ｂに対して、傾斜角度ｃだけ傾斜している（図３参照）。各々の縦フィン体４０の下端部には、フィン側当接部４０３が形成されている。また、五枚の縦フィン体４０のうち、右から四枚の縦フィン体４０の室内側縁には、それぞれ弧状のノブ回避切り欠き４００が形成されている。また、五枚の縦フィン体４０のうち、中央の縦フィン体４０のノブ回避切り欠き４００には、ピニオン４０１が配置されている。ピニオン４０１は、扇形を呈している。また、ピニオン４０１は、前記共用ノブ５のラック５０と噛合している。ピニオン４０１は、本発明のリンク部に含まれる。また、五枚の縦フィン体４０のうち、左から二枚目の縦フィン体４０には、左側に三角形状に膨らむ回避凹部４０２が形成されている。回避凹部４０２は、本発明の回避部に含まれる。
【００２５】
各々の縦フィン体４０の下端からは、下側枢支突起４５が突設されている。下側枢支突起４５は、前記下側縦フィン枢支孔２０３に挿入されている。一方、各々の縦フィン体４０の上端からは、上側枢支突起４１が突設されている。上側枢支突起４１は、上側縦フィン枢支孔２０４に挿入されている。上側枢支突起４１の上側には、リテーナ本体２０上壁を挟んで、縦フィン係合片４２が配置されている。縦フィン係合片４２は、樹脂製であって短い板状を呈している。縦フィン係合片４２は、合計五つ配置されている。各々の縦フィン係合片４２には、縦フィン係合孔４２０が穿設されている。上側縦フィン枢支孔２０４を貫通した上側枢支突起４１上端は、縦フィン係合孔４２０に止着されている。また、縦フィン係合片４２の上面からは、縦フィン係合突起４２１が突設されている。五つの縦フィン係合片４２の上側には、縦フィン連結ロッド４４が配置されている。縦フィン連結ロッド４４は、樹脂製であって左右方向に延びる細板状を呈している。縦フィン連結ロッド４４には、左右方向に一直線に並ぶ縦フィン係合孔４４０が、合計五つ穿設されている。各々の縦フィン係合孔４４０には、上下方向にそれぞれ対向する縦フィン係合突起４２１が、挿入されている。
【００２６】
次に、本実施形態の空調用レジスタの横フィン群の動きについて説明する。前出図３に示すように、共用ノブ５を上下方向に揺動させると、共用ノブ５を持つ横フィン体３０も、右側枢支突起３５および左側枢支突起３１を中心に、上下方向に揺動する。このため、この横フィン体３０に止着されている横フィン係合片３２も、右側枢支突起３５および左側枢支突起３１を中心に、上下方向に揺動する。したがって、横フィン係合突起３２１も上下方向に揺動する。横フィン係合突起３２１は、横フィン連結ロッド３４の横フィン係合孔３４０に挿入されている。このため、横フィン連結ロッド３４は上下方向に往復動する。この往復動が、他の横フィン係合片３２を介して、共用ノブ５を持たない他の横フィン体３０に伝達される。こうして、横フィン群３全体が連動し、上下方向に揺動する。
【００２７】
次に、本実施形態の空調用レジスタの縦フィン群の動きについて説明する。前出図４に示すように、共用ノブ５を左右方向にスライドさせると、ラック５０と噛合するピニオン４０１を持つ縦フィン体４０は、下側枢支突起４５および上側枢支突起４１を中心に、左右方向に揺動する。このため、この縦フィン体４０に止着されている縦フィン係合片４２も、下側枢支突起４５および上側枢支突起４１を中心に、左右方向に揺動する。したがって、縦フィン係合突起４２１も左右方向に揺動する。縦フィン係合突起４２１は、縦フィン連結ロッド４４の縦フィン係合孔４４０に挿入されている。このため、縦フィン連結ロッド４４は左右方向に往復動する。この往復動が、他の縦フィン係合片４２を介して、ピニオン４０１を持たない他の縦フィン体４０に伝達される。こうして、縦フィン群４全体が連動し、左右方向に揺動する。
【００２８】
次に、本実施形態の空調用レジスタの通風路遮断時の動きについて説明する。図５に、風向調整時の縦フィンの配置図を示す。図６に、本実施形態の空調用レジスタの通風路遮断時における長手方向断面図を示す。図７に、通風路遮断時における縦フィンの配置図を示す。風向調整時において縦フィン体４０は、フィン側当接部４０３が下壁段差２０２に当接しない角度域で、揺動している。この角度域を超えて、共用ノブ５を左方向に大きくスライドさせると、図５に示すように、縦フィン体４０は、枢支軸ａを挟んで室内側部分が左方向を向くように大きく揺動する。そして、図７に示すように、縦フィン体４０のフィン側当接部４０３が下壁段差２０２に当接する。また、五枚の縦フィン体４０のうち一番左側の縦フィン体４０の室内側縁が左壁段差２０５に当接する。また、五枚の縦フィン体４０のうち一番右側の縦フィン体４０の室外側縁が右壁リブ２０６に当接する。また、隣り合う縦フィン体４０同士が重畳される。この際、ピニオン４０１の左側部分が、回避凹部４０２の内部に収容される。こうして、通風路２０７が遮断される。
【００２９】
次に、本実施形態の空調用レジスタの作用効果について説明する。本実施形態の空調用レジスタ１によると、縦フィン体４０のフィン側当接部４０３が下壁段差２０２に当接することで、通風路２０７遮断時のシール性を確保することができる。また、操作抵抗が小さく、通風抵抗が小さい。また、手動操作の際、フィン側当接部４０３が下壁段差２０２に当接した際の操作抵抗の変化により、操作者が通風路２０７の遮断を認識しやすい。
【００３０】
また、本実施形態の空調用レジスタ１によると、通風路２０７遮断時において、一番左側の縦フィン体４０の室内側縁が左壁段差２０５に当接する。この点においても、シール性が高い。また、手動操作の際、縦フィン体４０が左壁段差２０５に当接した際の操作抵抗の変化により、操作者が通風路２０７の遮断を認識しやすい。
【００３１】
また、本実施形態の空調用レジスタ１によると、通風路２０７遮断時において、一番右側の縦フィン体４０の室外側縁が右壁リブ２０６に当接する。この点においても、シール性が高い。また、手動操作の際、縦フィン体４０が右壁リブ２０６に当接した際の操作抵抗の変化により、操作者が通風路２０７の遮断を認識しやすい。
【００３２】
また、本実施形態の空調用レジスタ１によると、リテーナ本体２０上壁に上壁スロープ２０９が配置されている（図３参照）。このため、前出図８の縦フィン体１０３のように、隙間１０６ｂを設けなくても、リテーナ本体２０上壁に干渉しないように縦フィン体４０を揺動させることができる。また、隙間１０６ｂが配置されていない分、通風路１０７遮断時のシール性が高くなる。
【００３３】
また、本実施形態の空調用レジスタ１によると、下壁段差２０２にフィン側当接部４０３を当てることで、通風路２０７遮断時における縦フィン体４０の揺動角度を精度良く決定することができる。すなわち、通風路２０７遮断時において、各縦フィン体４０を理想的な揺動角度に位置決めすることができる。
【００３４】
また、本実施形態の空調用レジスタ１によると、共用ノブ５が吹出口２１０内部に配置されている。このため、ベゼル２１に占める吹出口２１０の面積割合が大きい。したがって、所望の送風量を容易に確保することができる。
【００３５】
また、仮に、回避凹部４０２が無い場合、通風路２０７を遮断する際に、ピニオン４０１が隣り合う縦フィン体４０の室外側の側面に当接してしまう（図５参照）。このため、縦フィン体４０を、通風路２０７遮断に必要な角度まで揺動させることができない。これに対し、本実施形態の空調用レジスタ１によると、ピニオン４０１を持つ縦フィン体４０と隣り合う縦フィン体４０に、回避凹部４０２が配置されている。そして、通風路２０７遮断時においては、この回避凹部４０２にピニオン４０１が収容される。したがって、通風路２０７遮断に必要な角度だけ、縦フィン体４０を充分に揺動させることができる。
【００３６】
また、本実施形態の空調用レジスタ１によると、四枚の縦フィン体４０にノブ回避切り欠き４００が配置されている。したがって、操作時における操作ノブ５と縦フィン体４０との干渉を防止することができる。また、縦フィン群４と横フィン群３とを密に配置することができる。このため、空調用レジスタ１の全長（室内−室外方向長）が短くなる。
【００３７】
以上、本発明の空調用レジスタの実施の形態について説明した。しかしながら、実施の形態は、上記形態に特に限定されるものではない。当業者が行いうる種々の変形的形態、改良的形態で実施することも可能である。
【００３８】
例えば、本実施形態においては、回避部として回避凹部４０２を配置したが、回避部の形態は特に限定しない。例えば切り欠き状であってもよい。また、縦フィン体４０の枢支軸ａよりも室外側を全て切除し、これを回避部としてもよい。また、切り欠きを、復元変形可能な板（例えば、ゴム板）で覆い、これを回避部としてもよい。こうすると、通風路２０７遮断時に板がピニオン４０１に押圧されて変形することにより、回避部が形成される。すなわち、風向調整時には存在しなかった回避部が、通風路２０７遮断時において発現する。こうすると、風向調整時において、回避部による通風抵抗が小さくなる。
【００３９】
また、リテーナ本体２０とベゼル２１とは一体であってもよい。また、上記実施形態においては、いわゆるラックピニオン機構により、共用ノブ５と縦フィン群４とをリンクさせたが、リンク機構は特に限定しない。例えば、任意の一枚の縦フィン体４０を左右から挟み込む一対の挟持片を、共用ノブ５室外側端から突設させ、これにより共用ノブ５と縦フィン群４とをリンクさせてもよい。また、本発明の空調用レジスタ１は、インストルメントパネル９に限らず、コンソールボックス端面、ドアトリムなどに配置してもよい。また、自動車に限らず、船舶、航空機、電車、あるいは住宅などに用いてもよい。
【図面の簡単な説明】
【００４０】
【図１】本発明の空調用レジスタの一実施形態となる空調用レジスタの分解斜視図である。
【図２】同空調用レジスタの合体斜視図である。
【図３】図２のＩ−Ｉ断面図である。
【図４】図２のＩＩ−ＩＩ断面図である。
【図５】同空調用レジスタの風向調整時における縦フィンの配置図である。
【図６】同空調用レジスタの通風路遮断時における長手方向断面図である。
【図７】同空調用レジスタの通風路遮断時における縦フィンの配置図である。
【図８】従来の空調用レジスタの長手方向断面模式図である。
【符号の説明】
【００４１】
１：空調用レジスタ、２：リテーナ、２０：リテーナ本体、２００：横フィン枢支溝、２０１：横フィン枢支孔、２０２：下壁段差（段差部）、２０３：下側縦フィン枢支孔、２０４：上側縦フィン枢支孔、２０５：左壁段差、２０６：右壁リブ、２０７：通風路、２０９：上壁スロープ、２１：ベゼル、２１０：吹出口、３：横フィン群（室内側フィン群）、３０：横フィン体（室内側フィン体）、３１：左側枢支突起、３２：横フィン係合片、３２０：横フィン係合孔、３２１：横フィン係合突起、３４：横フィン連結ロッド、３４０：横フィン係合孔、３５：右側枢支突起、４：縦フィン群（室外側フィン群）、４０：縦フィン体（室外側フィン体）、４００：ノブ回避切り欠き、４０１：ピニオン（リンク部）、４０２：回避凹部（回避部）、４０３：フィン側当接部、４１：上側枢支突起、４２：縦フィン係合片、４２０：縦フィン係合孔、４２１：縦フィン係合突起、４４：縦フィン連結ロッド、４４０：縦フィン係合孔、４５：下側枢支突起、５：共用ノブ（共用操作部）、５０：ラック、９：インストルメントパネル、ａ：枢支軸、ｂ：路長垂直方向、ｃ：傾斜角度。
【図１】
2005121259.tif 000003
【図２】
2005121259.tif 000004
【図３】
2005121259.tif 000005
【図４】
2005121259.tif 000006
【図５】
2005121259.tif 000007
【図６】
2005121259.tif 000008
【図７】
2005121259.tif 000009
【図８】
2005121259.tif 000010